(57)【要約】【課題】  名前のない道路や坂道等といった種々の地点に名前、名称等の通称を道路情報としてネーミング登録することで、既存のものにはない目新しい日本地図を作成する。【解決手段】  日本各地の街道、道、路、坂道、階段等といったあらゆる地点へのネーミングを行う道路情報ネーミングゲーム装置１は、会員４がユーザ端末によりネット等を介してアクセスするゲームサーバ２と、ゲームサーバにより制御され地図情報や該地図上の登録済みの道路情報を記憶するデータベース３を備える。ゲームサーバは、会員のアクセスによりデータベースから地図情報を取り出して前記会員のユーザ端末に送出する地図情報・登録済み道路情報送出手段２３と、会員からの命名権の申し込み内容を確認する命名権申込確認手段２４と、該確認手段で登録可能であることが確認されたことにより該命名権によるネーミングを登録する道路情報登録手段２５を備える。【選択図】図１
2012137720.tif 000002
【特許請求の範囲】
【請求項１】
日本各地の街道、通り、道、路、坂道、階段等のあらゆる道路へのネーミングを行う道路情報ネーミングゲーム装置であって、
会員がユーザ端末によりアクセスするゲームサーバと、
該ゲームサーバにより制御され地図情報や該地図上での登録済みの道路情報を記憶するデータベースとを備え、
前記ゲームサーバは、会員のアクセスによりデータベースから地図情報を取り出して前記会員のユーザ端末に送出する地図情報・登録済み道路情報送出手段と、前記会員からの命名権の申し込み内容を確認する命名権申込確認手段と、該確認手段で登録可能であることが確認されたことにより該命名権によるネーミングを登録する道路情報登録手段とを備えていることを特徴とする道路情報ネーミングゲーム装置。
【請求項２】
請求項１記載の道路情報ネーミングゲーム装置において、
前記命名権申込内容は、地図情報、登録済み道路情報等による地図上で会員が指定する任意の地点または地点間等の位置情報と、当該位置情報で特定される道路に命名するネーミングとを含むことを特徴とする道路情報ネーミングゲーム装置。
【請求項３】
請求項２記載の道路情報ネーミングゲーム装置において、
前記ユーザ端末は、現在位置情報を取得できる機能を備えた携帯情報端末であり、
この携帯情報端末で得られる位置情報を利用して前記命名権申込内容のうちの地点または地点間等の位置情報の指定を行うように構成したことを特徴とする道路情報ネーミングゲーム装置。
【請求項４】
請求項１ないし請求項３のいずれか１項に記載の道路情報ネーミングゲーム装置において、
前記ゲームサーバの制御部は、会員からのユーザ端末のアクセスに対して会員であるか否かを認証して接続を許可する認証手段を備えていることを特徴とする道路情報ネーミングゲーム装置。
【請求項５】
請求項１ないし請求項４のいずれか１項に記載の道路情報ネーミングゲーム装置において、
前記ゲームサーバの制御部は、会員に専用アプリを配布するアプリ配布手段を備えていることを特徴とする道路情報ネーミングゲーム装置。
【請求項６】
日本各地の街道、通り、道、路、坂道、階段等のあらゆる道路へのネーミングを行う道路情報ネーミングゲーム方法であって、
会員がユーザ端末によりゲームサーバにアクセスすると、ゲームサーバは、データベースから地図情報、登録済みの道路情報を取り出して前記会員のユーザ端末に送出され、
該情報に基づき登録すべき道路を選択し、命名権を行使して申し込みを行うと、
ゲームサーバは、該申込の内容を登録済みの道路情報と確認し、登録すべきと判断したらユーザ端末に送って表示することを特徴とする道路情報ネーミングゲーム方法。
【発明の詳細な説明】
【技術分野】
【０００１】  本発明は、例えば日本各地の道路、坂道等であって名前（通称）がまだ付けられていないところにユーザが任意の名前、名称を命名して登録することにより、目新しい日本地図を作成することができる道路情報ネーミングゲーム装置に関し、特にＧＰＳ等の位置情報取得をする。
【背景技術】
【０００２】  ナビゲーション装置等において、現在位置を確認したり、目的地を検索するために、住所以外にも、有名な地名、名称等を用いることが一般に行われている。特に、地名や名称は、目的地等を検索する場合には記憶が薄くても有効な検索要素の一つである。【０００３】  例えば地図情報等において、目的地等を検索するために、適宜の索引語を選択して行えるようにした装置が先に提案されている（例えば、特許文献１参照）。
【先行技術文献】
【特許文献】
【０００４】
【特許文献１】  特開２００７−２２６６８８号公報
【発明の概要】
【発明が解決しようとする課題】
【０００５】  ところで、外国ではあたりまえだが、日本の殆どの街道等には名前が付いていない。したがって、上述した従来装置での位置検索には限界がある。【０００６】  このような状況下において、日本全国にある街道、通り、道、路、坂道、階段等のあらゆる道路で名前等が付いていない個所へのネーミングを行い、登録するようにすれば、目新しい地図を得ることができ、また実用面での有用性は高いと言える。【０００７】  本発明はこのような事情に鑑みてなされたものであり、名前のない道路や坂道等といった種々の地点に名前、名称等の通称を道路情報としてネーミング登録することで、既存のものにはない目新しい日本地図を作成することができる道路情報ネーミングゲーム装置を得ることを目的とする。
【課題を解決するための手段】
【０００８】  このような目的に応えるために本発明（請求項１記載の発明）に係る道路情報ネーミングゲーム装置は、日本各地の街道、通り、道、路、坂道、階段等のあらゆる道路へのネーミングを行う道路情報ネーミングゲーム装置であって、会員がユーザ端末によりアクセスするゲームサーバと、該ゲームサーバにより制御され地図情報や該地図上での登録済みの道路情報を記憶するデータベースとを備え、前記ゲームサーバは、会員のアクセスによりデータベースから地図情報を取り出して前記会員のユーザ端末に送出する地図情報・登録済み道路情報送出手段と、前記会員からの命名権の申し込み内容を確認する命名権申込確認手段と、該確認手段で登録可能であることが確認されたことにより該命名権によるネーミングを登録する道路情報登録手段とを備えていることを特徴とする。【０００９】  本発明（請求項２記載の発明）に係る道路情報ネーミングゲーム装置は、請求項１記載の道路情報ネーミングゲーム装置において、前記命名権申込内容は、地図情報、登録済み道路情報等による地図上で会員が指定する任意の地点または地点間等の位置情報と、当該位置情報で特定される道路に命名するネーミングとを含むことを特徴とする。【００１０】  本発明（請求項３記載の発明）に係る道路情報ネーミングゲーム装置は、請求項２記載の道路情報ネーミングゲーム装置において、前記ユーザ端末は、現在位置情報を取得できる機能を備えた携帯情報端末であり、この携帯情報端末で得られる位置情報を利用して前記命名権申込内容のうちの地点または地点間等の位置情報の指定を行うように構成したことを特徴とする。【００１１】  本発明（請求項４記載の発明）に係る道路情報ネーミングゲーム装置は、請求項１乃至請求項３のいずれか１項に記載の道路情報ネーミングゲーム装置において、前記ゲームサーバの制御部は、会員からのユーザ端末のアクセスに対して会員であるか否かを認証して接続を許可する認証手段を備えていることを特徴とする。【００１２】  本発明（請求項５記載の発明）に係る道路情報ネーミングゲーム装置は、請求項１乃至請求項４のいずれか１項に記載の道路情報ネーミングゲーム装置において、前記ゲームサーバの制御部は、会員に専用アプリを配布するアプリ配布手段を備えていることを特徴とする。【００１３】  本発明（請求項６記載の発明）に係る道路情報ネーミングゲーム方法は、日本各地の街道、通り、道、路、坂道、階段等のあらゆる道路へのネーミングを行う道路情報ネーミングゲーム方法であって、会員がユーザ端末によりゲームサーバにアクセスすると、ゲームサーバは、データベースから地図情報、登録済みの道路情報を取り出して前記会員のユーザ端末に送出され、該情報に基づき登録すべき道路を選択し、命名権を行使して申し込みを行うと、ゲームサーバは、該申込の内容を登録済みの道路情報と確認し、登録すべきと判断したらユーザ端末に送って表示することを特徴とする。
【発明の効果】
【００１４】  以上説明したように本発明に係る道路情報ネーミングゲーム装置によれば、データベースに記憶している地図情報や該地図上での登録済み道路情報等に基づき、会員は、選択した道路等に所望の名称、名前等を命名することができ、それを複数行うことにより、いわば場所取りゲーム等のような様相を生み出すことができ、興趣に富むゲームを提供することができる。【００１５】  特に、本発明によれば、携帯電話端末等の現在位置情報の取得機能を利用し、命名権申込にあたっての指定する地点または地点間等の位置情報の設定に用いることにより、より一層興趣に富むゲームを提供することができる。【００１６】  さらに、本発明によれば、上述したように命名したネーミングを通称として地図上に表記した地図を作成して提供することにより、新感覚の地図を発行することが可能で、また該ネーミングを通称として広め、例えば位置検索などを行う地図情報、道路情報として有効に活用することができる。
【図面の簡単な説明】
【００１７】
【図１】  本発明に係るネーミングゲーム装置の一実施形態を示し、システム全体の概略構成図である。
【図２】  本発明に係る道路情報ネーミングゲーム装置の一実施形態を示し、ゲームサーバにおける制御部の概略ブロック図である。
【発明を実施するための形態】
【００１８】  図１および図２は本発明に係る道路情報ネーミングゲーム装置の一実施形態を示す。
これらの図において、符号１は道路情報ネーミングゲーム装置であり、このネーミングゲーム装置１は、ゲームサーバ２とこれに附属するデータベース３とを備えている。
【００１９】  このゲームサーバ２は、この種のネーミングを行う命名権を執行する会員４を募り、該会員４からのアクセスに応え、またネーミングに伴う適宜の処理を行うところである。
【００２０】  これを詳述すると、この道路情報ネーミングゲーム装置１は、日本各地の街道、通り、道、路、坂道、階段等といったあらゆる地点へのネーミングを行うように構成されている。
このゲーム装置１は、会員４がユーザ端末（図示せず）によりアクセスするゲームサーバ２と、該ゲームサーバ２により制御され地図情報や該地図上の道路情報を記憶するデータベース３とを備えている。
【００２１】  前記ゲームサーバ２は、図２に示すように、各種の動作制御を行う制御部２０を備え、この制御部２０は、会員４からのユーザ端末のインターネット等を介してのアクセスに対して会員４であるか否かを認証して接続を許可する認証手段２１を備える。ここで、図１中のＡ−１は、専用アプリでアクセスし、会員情報をサーバ２側に送信し、これにより認証を行うように構成されている。
【００２２】  また、このゲームサーバ２は、会員４に専用アプリを配布するアプリ配布手段２２を備えている。会員４は、アプリをダウンロードすることで、該アプリを利用してゲームサーバ３に接続可能になっている。
【００２３】  さらに、このゲームサーバ２の制御部２０は、会員４のアクセスによりデータベース３から地図情報、登録済みの道路情報を取り出して前記会員４のユーザ端末に送出する地図情報・登録済み道路情報送出手段２３と、前記会員４からの命名権の申し込み内容を確認する命名権申込確認手段２４と、該確認手段２４で登録可能であることが確認されたことにより該命名権によるネーミングを登録する道路情報登録手段２５とを備えている。
【００２４】  ここで、上述した命名権申込内容としては、地図情報、登録済み道路情報等による地図上において、会員４が指定する任意の地点または地点間等を表す位置情報、当該位置情報で特定される道路に命名する名前、名称等のネーミング、さらにはその他の関連する情報を含むものである。
【００２５】  すなわち、会員４は、命名を希望する地点などを選択し、その位置情報や命名したいネーミング等をゲームサーバ２側に送り、判定を待つことになる。
【００２６】  このような構成によれば、図１に示すように、会員４がユーザ端末によりゲームサーバ２にアクセスすると、ゲームサーバ２は、データベース３から地図情報、登録済みの道路情報を取り出して前記会員４のユーザ端末に送出され、該情報に基づき登録すべき道路を選択し、命名権を行使して申し込みを行う。
【００２７】  これを受けて、ゲームサーバ２は、該申込の内容を登録済みの道路情報と確認し、登録すべきか否かの判断を行う。登録すべきと判断したら、ユーザ端末に判定結果を送り、登録可能である旨の表示等を行い、それを会員４側が了承したら、該データベース３での登録処理を行うものである。
【００２８】  図１中、Ａ−２は、表示する地図情報、登録済み道路情報（ＧＰＳ情報）、そしてユーザ現在のステータス情報をデータベース３に問い合わせし、取得する。
そして、Ａ−３は、ゲームサーバ２から送られてきた内容を表示、ステータス内容によって「編集できるか、できないか」の二通りに分かれる。
【００２９】  Ａ−４は、地図データ上、「命名」を希望する道路のマーカ情報（開始地点と終了地点の経緯度情報、曲がった道の場合、複数の継続マーカ情報（経緯度情報）をサーバに送信する。送信データ会員情報、地図領域情報、命名を希望する道路の経緯度情報、マーカが付いた地図の画像情報等も送信される。
【００３０】  Ａ−５は、ユーザが所有するポイントが道路の命名権を申込できるか否か、既に命名された道かどうかを紹介する。
Ａ−６は、「命名」受付可能の場合、会員４に申込結果を送ります。受付できない場合は、エラーメッセージを表示するようにすればよい。
【００３１】  Ａ−７は、Ａ−５の結果が「可」の場合、会員情報を更新する。そして、命名リクエストした内容を記録するようにすればよい。
【００３２】  ここで、上述した実施形態では、会員４が命名権の申込を行うにあたっては、地図情報等の地図上での地点あるいは地点間情報の指示で行う旨を説明したが、例えばＧＰＳによる現在位置情報を利用して命名すべき地点情報を指示するようにしてもよい。
【００３３】  すなわち、会員４が持つユーザ端末として、現在位置情報を取得できる機能を備えた携帯情報端末を用いる。そして、その携帯情報端末で得られる位置情報を利用して前記命名権申込内容のうちの地点または地点間等の位置情報の指定を行うとよいものである。
【００３４】  これを簡単に説明すると、例えば携帯情報端末において、前記アプリを起動し、命名すべき地点に至ったときに、指示操作を行うとよい。地点間の道路を指定するときには、スタート位置でスタート指示操作を、エンド位置でエンド指示操作を行うことで、地点間の道路指示を行うとよい。
その際には、命名すべきネーミングの入力操作も行う。
【００３５】  このようにすれば、会員４は日本全国の各地に至って適宜の個所のネーミングを行うといった会員４にとって興趣に富むゲームを提供することができるものである。
【００３６】  なお、本発明は上述した実施の形態で説明した構造には限定されず、道路情報ネーミングゲーム装置１を構成する各部の形状、構造等を適宜変形、変更し得ることはいうまでもない。
【符号の説明】
【００３７】１  道路情報ネーミングゲーム装置
２  ゲームサーバ
３  データベース
４  会員（ユーザ）
２０  ゲームサーバ制御部
２１  認証手段
２２  アプリ配布手段
２３  地図情報・登録済み道路情報送出手段
２４  命名権申込内容確認手段
２５  道路情報登録手段
【図１】
2012137720.tif 000003
【図２】
2012137720.tif 000004